(57)【要約】【課題】安価で搬送効率の良い空気調和機の電気集塵機取付機構を提供する。【解決手段】電気集塵機を、高電圧発生装置を収納する高電圧部１１と、電極およびフィルタを収納するフィルタ部とで構成する。そして、上記フィルタ部を、前面パネル２１の枠体２３に対して挿入または引き出すことによって、高電圧部１１に対して自動的に着脱可能にしている。したがって、高電圧部１１のみに耐高電圧化を図ることが可能になり、高電圧部１１を従来用いていた絶縁シートよりは安価な難燃樹脂で形成することによって、耐高電圧を得ると共に、コストダウンを図ることができる。また、室内機には高電圧部１１のみを取り付け固定しておき、上記フィルタ部は現地で装着可能になる。したがって、完成品状態での室内機寸法を小さくして、搬送効率を高めることができる。【選択図】  図４
2004150702.tif 000002
【特許請求の範囲】
【請求項１】
熱交換器の吸込み側に取り付けられると共に、高電圧を発生する高電圧部（１１）と、
上記高電圧部（１１）からの高電圧が印加される電極と、この電極に引き寄せられる塵埃を絡め取るフィルタと、上記電極およびフィルタを収納する枠とを含むフィルタアッセンブリ（２５）と、
上記高電圧部（１１）とフィルタアッセンブリ（２５）とにおける互いに対面する一側部に設けられると共に、上記フィルタアッセンブリ（２５）を高電圧部（１１）に対して着脱自在に取り付ける取付部（３１，１３）と、
上記高電圧部（１１）とフィルタアッセンブリ（２５）とにおける上記一側部に設けられると共に、上記高電圧部（１１）とフィルタアッセンブリ（２５）とを互いに電気的に接続する電機接続部（３２，３７）と、
本体ケーシング（２１）に設けられて、上記フィルタアッセンブリ（２５）の他側部を保持する保持部（２２）
を備えたことを特徴とする空気調和機の電気集塵機取付構造。
【請求項２】
請求項１に記載された空気調和機の電気集塵機取付構造において、
上記フィルタアッセンブリ（２５）の他側部には、上記保持部（２２）を押圧することによって、上記フィルタアッセンブリ（２５）を上記高電圧部（１１）に向けて付勢する付勢部（２８）を備えたことを特徴とする空気調和機の電気集塵機取付構造。
【請求項３】
請求項１に記載された空気調和機の電気集塵機取付構造において、
上記高電圧部（１１）には、上記本体ケーシング（２１）が装着された際に当該高電圧部（１１）の電源をオンするマイクロスイッチ（１２）が取り付けられていることを特徴とする空気調和機の電気集塵機取付構造。
【発明の詳細な説明】
【０００１】
【発明の属する技術分野】
この発明は、空気調和機の電気集塵機取付機構に関する。
【０００２】
【従来の技術】
従来より、空気調和機の室内機における熱交換器の前面に電気集塵機を取り付け配置するものがある（例えば、特許文献１参照）。一般に電気集塵機は、高電圧を発生する高電圧部と、塵埃を引き寄せるための電極と、上記塵埃を絡め取るフィルタと、を含んで構成されている。そして、上記従来の電気集塵機取付機構等においては、上記高電圧部，電極およびフィルタを一体に収納する枠部を有し、この枠部を室内機本体における熱交換器の前面に設けられた前面パネルに取り付け・固定することによって、電気集塵機を熱交換器の前面に配置するようにしている。
【０００３】
図７は、上記従来の電気集塵機取付機構等において用いられる枠部１の平面図である。枠部１の一端側には高電圧発生装置を収納した高電圧部２が設けられ、残りの部分が電極およびフィルタを収納するフィルタ部３となっている。
【０００４】
【特許文献１】
特開平１１‐３７５４０号公報
【０００５】
【発明が解決しようとする課題】
しかしながら、上記従来の空気調和機の電気集塵機取付機構には、以下のような問題がある。
【０００６】
先ず、上記枠部１は、内部に高電圧発生装置を収納するため、高単価な耐高電圧用の樹脂を用いる必要がある。また、上記高電圧部２，電極およびフィルタを一体に収納するためにかなり大きなものとなっている。そのために、枠部１全体の材料として低単価の一般グレードの樹脂を選定するようにし、高電圧部２内における高電圧発生装置の周囲を絶縁シートで覆うようにしている。このように、高価な絶縁シートを用いる必要があるため、結果的にコストアップの要因になると言う問題がある。
【０００７】
次に、上述したように、上記枠部１は、高電圧部２，電極およびフィルタを一体に収納するためにかなり大きなものとなっている。そして、室内機は完成品で納品する必要があり、納品時には室内機に高電圧部２，電極およびフィルタを一体に収納した枠部１を取り付けておく必要がある。したがって、従来から使用している運搬用の箱に収納可能な数が少なくなり、搬送効率が悪くなると言う問題もある。
【０００８】
そこで、この発明の目的は、安価で搬送効率の良い空気調和機の電気集塵機取付機構を提供することにある。
【０００９】
【課題を解決するための手段】
上記目的を達成するため、請求項１に係る発明の空気調和機の電気集塵機取付構造は、熱交換器の吸込み側に取り付けられると共に，高電圧を発生する高電圧部と、上記高電圧部からの高電圧が印加される電極と，この電極に引き寄せられる塵埃を絡め取るフィルタと，上記電極およびフィルタを収納する枠とを含むフィルタアッセンブリと、上記高電圧部とフィルタアッセンブリとにおける互いに対面する一側部に設けられると共に，上記フィルタアッセンブリを高電圧部に対して着脱自在に取り付ける取付部と、上記高電圧部とフィルタアッセンブリとにおける上記一側部に設けられると共に，上記高電圧部とフィルタアッセンブリとを互いに電気的に接続する電機接続部と、本体ケーシングに設けられて上記フィルタアッセンブリの他側部を保持する保持部を備えたことを特徴としている。
【００１０】
上記構成によれば、上記高電圧部とフィルタアッセンブリとは、互いに機械的および電気的に着脱可能になっている。したがって、上記高電圧部のみに耐高電圧化を図ることが可能になる。例えば、上記フィルタアッセンブリの枠を低単価の一般グレードの樹脂で形成する一方、上記高電圧部を従来用いていた上記絶縁シートよりは安価な難燃樹脂で形成することによって、耐高電圧を得ると共に、コストダウンを図ることが可能になる。
【００１１】
さらに、上記熱交換器には上記高電圧部のみを取り付けておき、上記フィルタアッセンブリは現地で装着可能になる。その結果、完成品状態での室内機寸法が小さくなり、搬送効率が高められる。
【００１２】
また、請求項２に係る発明は、請求項１に係る発明の空気調和機の電気集塵機取付構造において、上記フィルタアッセンブリの他側部には、上記保持部を押圧することによって上記フィルタアッセンブリを上記高電圧部に向けて付勢する付勢部を備えたことを特徴としている。
【００１３】
上記構成によれば、上記フィルタアッセンブリが高電圧部に向けて付勢されるため、上記高電圧部とフィルタアッセンブリとにおける互いに対面する一側部に設けられた電機接続部が、より密着して接続される。したがって、上記高電圧部とフィルタアッセンブリとにおける電気的接続が、より確実に行われる。
【００１４】
また、請求項３に係る発明は、請求項１に係る発明の空気調和機の電気集塵機取付構造において、上記高電圧部には、上記本体ケーシングが装着された際に当該高電圧部の電源をオンするマイクロスイッチが取り付けられていることを特徴としている。
【００１５】
上記構成によれば、上記高電圧部にマイクロスイッチが取り付けられているため、例えば室内機本体等にマイクロスイッチを取り付ける必要がない。したがって、電気集塵機取り付けタイプと非取り付けタイプとの室内機本体を別々に設計する煩わしさや、上記非取り付けタイプの室内機本体にマイクロスイッチ取り付け用のスペースを設ける無駄が、排除される。
【００１６】
【発明の実施の形態】
以下、この発明を図示の実施の形態により詳細に説明する。本実施の形態における空気調和機の電気集塵機取付構造においては、電気集塵機を、高電圧を発生する高電圧発生装置を収納した高電圧部と上記フィルタアッセンブリとしてのフィルタ部とを含んで構成している。上記フィルタ部は、上記高電圧部に着脱可能に取り付けられると共に、塵埃を引き寄せるための電極と上記塵埃を絡め取るフィルタと上記電極およびフィルタを一体に収納した枠とを有している。
【００１７】
図１は、本実施の形態の上記高電圧部１１における正面図（図１（ｂ）），左側面図（図１（ａ））および右側面図（図１（ｃ））である。高電圧部１１の一側には、前面パネルを装着した際に上記高電圧発生装置の電源をオンするマイクロスイッチ１２が設けられている。一方、他側には、上記フィルタ部を高電圧部１１に取り付ける際に上記フィルタ部の係合リブに係合する突出板１３が設けられている。また、裏面には、熱交換器（図示せず）の冷却フィンの間に挿入されて高電圧部１１を上記熱交換器の前面に保持する２組の薄板状の第１，第２保持部材１４，１５が、突出して設けられている。
【００１８】
上記構成を有する高電圧部１１は、上記熱交換器の前面に次のようにして直接取り付けられる。すなわち、上記熱交換器前面の所定の位置における冷却フィン間に第１，第２保持部材１４，１５が挿入される。図２は、図１におけるＡ‐Ａ’矢視断面図である。また、図３は、図１におけるＢ‐Ｂ’矢視断面図である。
【００１９】
図２に示すように、上記第１保持部材１４における上部保持腕１４ａは、冷却フィン（図示せず）間に挿入されて上下の段部１６ａ，１６ｂが２列目の冷媒管１７ａ，１７ｂに内側から当接する。一方、下部保持腕１４ｂは、冷却フィン間に挿入されて中央の切り込み部１８ａ内に１列目の冷媒管１９が挿入されると共に、上下の段部１８ｂ，１８ｃが２列目の冷媒管２０ａ，２０ｂに内側から当接する。
【００２０】
同様にして、図３に示すように、上記第２保持部材１５における上部保持腕１５ａと下部保持腕１５ｂとは、冷却フィン間に挿入されて冷媒管に内側から当接する。
【００２１】
以上のようにして、上記高電圧部１１の水平方向と垂直方向の位置が決められると共に、上部，下部保持腕１４ａ，１５ａ，１４ｂ，１５ｂと冷却フィンとの間に作用する摩擦力によって高電圧部１１が熱交換器に保持されて固定されるのである。
【００２２】
こうして、上記熱交換器の前面に高電圧部１１が取り付け固定されると、図４に示すように、上記熱交換器を覆って前面パネル２１が装着される。その際に、高電圧部１１の一側に設けられたマイクロスイッチ１２がオンして、高電圧部１１内の上記高電圧発生装置が電源に接続されるのである。
【００２３】
上記前面パネル２１には、上記フィルタ部を高電圧部１１に取り付ける際にフィルタ部を保持する枠体２２が形成されている。そして、枠体２２の下部に設けられた開口２３から上記フィルタ部を挿入することによって、上記フィルタ部が枠体２２内に保持されると共に、高電圧部１１との物理的および電気的な接続が自動的に行われるのである。つまり、枠体２２の一部で上記フィルタアッセンブリの保持部の一例を構成しているのである。
【００２４】
以下、上記フィルタ部に関する枠体２２への挿入と高電圧部１１との接続とについて詳細に説明する。図５は、上記フィルタ部２５における反高電圧部１１側の正面図（図５（ｂ））と側面図（図５（ａ））とを示す。また、図６は、フィルタ部２５における高電圧部１１側の側面図である。
【００２５】
図５に示すように、上記フィルタ部２５における反高電圧部１１側の側壁２６には、逆Ｌ字型の貫通溝３３が設けられ、この貫通溝３３よりも図中左側部分の側壁板２８で弾性部を形成している。そして、この弾性部２８に枠体２２の反高電圧部１１側の内側壁に設けられた係合板（図示せず）が係合する係合リブ２７が設けられている。
【００２６】
また、図６に示すように、上記フィルタ部２５における高電圧部１１側の側壁２９には、その上部に、高電圧部１１の溝部に挿入されてフィルタ部２５の前後方向の位置を決める所定幅の突出板で成る位置決め部材３０が設けられている。さらに、下部前方に、高電圧部１１の上記他側に設けられた突出板１３が係合する上記係合リブ３１が設けられている。この係合リブ３１は、板状を成して、側壁２９と間隔を有して側壁２９と平行に設けられている。このように、係合リブ３１と突出板１３とで上記取付部の一例を構成しているのである。さらに、中間部の前方に、高電圧部１１の接続端子に接触して、内蔵される上記電極に高電圧部１１からの高電圧を供給するための接続端子３２が設けられている。
【００２７】
また、図１に示すように、上記高電圧部１１におけるフィルタ部２５の側壁２９に対向する側壁３５には、フィルタ部２５の側壁２９上部に設けられた位置決め部材３０が挿入される上記溝部３６と、上記突出板１３と、フィルタ部２５の側壁２９中間前部に設けられた接続端子３２に接触して高電圧を供給するための弾性を有する接続端子３７とが、設けられている。このように、接続端子３２と接続端子３７とで上記電機接続部の一例を構成しているのである。
【００２８】
上記構成を有するフィルタ部２５は、以下のようにして枠体２２へ挿入されると共に、高電圧部１１と機械的および電気的に接続される。尚、このフィルタ部２５の前面パネル２１への装着は、現地において現地作業者によって行われる。
【００２９】
先ず、作業者によって、上記フィルタ部２５の上端部が、前面パネル２１に形成された枠体２２の開口２３から挿入される。そして、枠体２２の内側壁と高電圧部１１の側壁３５とで案内されて、位置決め部材３０が高電圧部１１側の溝部３６に向って、係合リブ３１が高電圧部１１側の突出板１３に向って、係合リブ２７が枠体２２の上記係合板に向って、フィルタ部２５がさらに挿入される。
【００３０】
そうすると、上記枠体２２の上記内側壁に設けられた係合板がフィルタ部２５の係合リブ２７内を介して弾性部２８を付勢する。その結果、フィルタ部２５全体が高電圧部１１側に移動し、フィルタ部２５の位置決め部材３０が高電圧部１１の溝部３６に挿入され、フィルタ部２５の係合リブ３１が高電圧部１１の突出板１３に係合可能になる。そして、フィルタ部２５が枠体２２内にさらに挿入されると、位置決め部材３０が溝部３６内を上方に移動しつつ、枠体２２の上記係合板がフィルタ部２５の係合リブ２７に確実に系合し、突出板１３が係合リブ３１に確実に係合する。すなわち、弾性部２８によって、上記付勢部の一例を構成するのである。
【００３１】
その結果、上記フィルタ部２５の係合リブ２７と枠体２２の上記係合板との係合と、フィルタ部２５の位置決め部材３０と高電圧部１１の溝部３６との係合とによって、フィルタ部２５の枠体２２および高電圧部１１に対する図５（ｂ）における前後方向（紙面に対して垂直方向）の位置が決められる。さらに、フィルタ部２５の係合リブ３１と高電圧部１１の突出板１３との係合によって、フィルタ部２５の高電圧部１１に対する図５（ｂ）における左右方向の位置が決められる。それと共に、高電圧部１１の接続端子３７がその弾性によってフィルタ部２５の接続端子３２に確実に接触して電気的に接続されるのである。
【００３２】
尚、上記フィルタ部２５の高電圧部１１からの離脱は、次のように行われる。先ず、フィルタ部２５を枠体２２から引き抜くことによって、係合リブ２７と上記係合板との係合及び係合リブ３１と突出板１３との係合が、解除され始める。さらに、フィルタ部２５が引き抜かれると、枠体２２の係合板によるフィルタ部２５の弾性部２８の付勢が解除されて、フィルタ部２５の位置決め部材３０を高電圧部１１の溝部３６から抜くことができるようになる。その結果、フィルタ部２５を枠体２２から引き出すことが可能になる。
【００３３】
以上のごとく、本実施の形態における電気集塵機は、高電圧発生装置を収納して高電圧を発生する高電圧部１１と、電極およびフィルタを収納するフィルタ部２５とを含んで構成している。そして、フィルタ部２５を、前面パネル２１の枠体２２に対して挿入または引き出すことによって、予め熱交換器に取り付けられた高電圧部１１に対して機械的および電気的に且つ自動的に着脱可能になっている。したがって、高電圧部１１のみに耐高電圧化を図ることが可能になる。すなわち、例えば、フィルタ部２５を低単価の一般グレードの樹脂で形成する一方、高電圧部１１を従来用いていた上記絶縁シートよりは安価な難燃樹脂で形成することによって、耐高電圧を得ると共に、コストダウンを図ることができるのである。
【００３４】
さらに、室内機には高電圧部１１のみを取り付け固定しておき、フィルタ部２５は現地で装着することが可能になる。その結果、完成品状態での室内機寸法を小さくして、搬送効率を高めることができるのである。
【００３５】
また、その際に、上記フィルタ部２５の側面２６に設けられた係合リブ２７及び弾性部２８が枠体２２の上記内側壁の係合板を押圧した際の反作用によって、フィルタ部２５全体が高電圧部１１側に付勢される。したがって、フィルタ部２５の側面２９に設けられた接続端子３２を高電圧部１１の接続端子３７により密着させて、電気的に確実に接続することができる。
【００３６】
また、上記枠体２２は、従来の電気集塵機の枠部１（図７参照）を前面パネルに取り付けるために前面パネルに形成されている枠体をそのまま使用することが可能である。したがって、前面パネルの設計を変更する必要が無く、コストアップを防止することができる。
【００３７】
また、本実施の形態においては、上記前面パネル２１を装着した際に上記高電圧発生装置の電源をオンするマイクロスイッチ１２を、高電圧部１１に取り付けている。したがって、従来のごとく、電気集塵機を取り付ける室内機であるか取り付けない室内機であるかに拘らず室内機本体等にマイクロスイッチ取り付け用のスペースを設ける必要が無くなり、電気集塵機を取り付ける必要がないタイプにおける室内機本体等のスペースの有効活用を図ることができる。あるいは、電気集塵機の取り付けタイプと非取り付けタイプとの室内機本体を別々に設計する煩わしさを排除することができる。
【００３８】
また、本実施の形態においては、上記フィルタ部２５の高電圧部１１に対する図５（ｂ）における前後・左右の２方向の位置決めを、夫々２箇所の係合や保持によって得ることができる。したがって、フィルタ部２５および枠体２２の部品寸法のばらつきに拘らず、フィルタ部２５を枠体２２内に収納した場合にがたつきがあっても、フィルタ部２５を高電圧部１１に対して確実に取り付け・固定することができるのである。
【００３９】
尚、上記マイクロスイッチ１２の具体的取り付け位置や、各係合部材の具体的形状や、接続端子３２，３７の具体的取り付け位置等は、上記実施の形態に限定されるものではない。例えば、本実施の形態においては、各係合部材１３，２７，３１を電圧部１１またはフィルタ部２５に一体に形成しているが、別体に形成したものを電圧部１１またはフィルタ部２５に取り付けても一向に構わない。
【００４０】
【発明の効果】
以上より明らかなように、請求項１に係る発明の空気調和機の電気集塵機取付構造は、高電圧を発生する高電圧部と電極，フィルタおよび枠を含むフィルタアッセンブリとを、互いに機械的・電気的に着脱可能にしたので、上記高電圧部のみに耐高電圧化を図ることが可能になる。したがって、例えば、上記フィルタアッセンブリの枠を一般グレードの樹脂で形成する一方、上記高電圧部を上記絶縁シートよりは安価な難燃樹脂で形成することによって、耐高電圧を得ると共に、コストダウンを図ることができる。
【００４１】
さらに、上記熱交換器には上記高電圧部のみを取り付けておき、上記フィルタアッセンブリは現地で装着することができる。したがって、完成品状態での室内機寸法を小さくして運搬用の箱に収納可能な数を多くすることができ、搬送効率を高めることができる。
【００４２】
また、請求項２に係る発明の空気調和機の電気集塵機取付構造は、上記フィルタアッセンブリの他側部に、このフィルタアッセンブリを上記高電圧部に向けて付勢する付勢部を備えたので、上記高電圧部とフィルタアッセンブリとの互いに対面する一側部に設けられた電機接続部を、より密着させて接続できる。したがって、上記高電圧部とフィルタアッセンブリとにおける電気的接続を、より確実に行うことができる。
【００４３】
また、請求項３に係る発明の空気調和機の電気集塵機取付構造は、上記高電圧部に、上記本体ケーシングが装着された際に当該高電圧部の電源をオンするマイクロスイッチを取り付けたので、例えば室内機本体等にマイクロスイッチを取り付ける必要がない。したがって、電気集塵機取り付けタイプと非取り付けタイプとの室内機本体を別々に設計する煩わしさや、非取り付けタイプの室内機本体にマイクロスイッチを取り付け用のスペースを設ける無駄を、排除することができるのである。
【図面の簡単な説明】
【図１】この発明の空気調和機の電気集塵機取付構造における高電圧部の正面図および両側面図である。
【図２】図１におけるＡ‐Ａ’矢視断面図である。
【図３】図１におけるＢ‐Ｂ’矢視断面図である。
【図４】枠体が形成された前面パネルの外観図である。
【図５】フィルタ部における端部の正面図および側面図である。
【図６】フィルタ部における図５とは反対側の側面図である。
【図７】従来の電気集塵機取付機構における枠部の平面図である。
【符号の説明】
１１…高電圧部、
１２…マイクロスイッチ、
１３…突出板、
１４…第１保持部材、
１５…第２保持部材、
１７ａ，１７ｂ，１９，２０ａ，２０ｂ…冷媒管、
２１…前面パネル、
２２…枠体、
２５…フィルタ部、
２７，３１…係合リブ、
２８…弾性部、
３０…位置決め部材、
３２，３７…接続端子、
３６…溝部。
【図１】
2004150702.tif 000003
【図２】
2004150702.tif 000004
【図３】
2004150702.tif 000005
【図４】
2004150702.tif 000006
【図５】
2004150702.tif 000007
【図６】
2004150702.tif 000008
【図７】
2004150702.tif 000009